(57)【要約】【課題】製造作業を容易なものとすることが可能となる床暖房パネルの提供。【解決手段】加熱用長尺体１が装備された板状基材の上面に均熱用の表面材３が設けられ、その表面材３の上面に床仕上げ材４が設けられている床暖房パネルにおいて、表面材３が、床仕上げ材４の裏面と接着可能でかつ板状基材部分２の上面と接着可能な均熱用両面テープ体６にて構成されている。【選択図】　　　　図２
2004085046.tif 000002
【特許請求の範囲】
【請求項１】
加熱用長尺体が装備された板状基材の上面に均熱用の表面材が設けられ、その表面材の上面に床仕上げ材が設けられている床暖房パネルであって、
前記表面材が、前記床仕上げ材の裏面と接着可能でかつ前記板状基材の上面と接着可能な均熱用両面テープ体にて構成されている床暖房パネル。
【請求項２】
前記均熱用両面テープ体が、前記床仕上げ材の裏面の全体にわたって接着されている請求項１に記載の床暖房パネル。
【発明の詳細な説明】
【０００１】
【発明の属する技術分野】
本発明は、加熱用長尺体が装備された板状基材の上面に均熱用の表面材が設けられ、その表面材の上面に床仕上げ材が設けられている床暖房パネルに関する。
【０００２】
【従来の技術】
上記のような床暖房パネルは、熱媒体流通管などの加熱用長尺体が装備された板状基材、アルミ箔などの均熱用の表面材、フローリングなどの床仕上げ材から構成されているものであり、板状基材の上面に、アルミ箔などの表面材を設けることによって、加熱用長尺体の熱を床仕上げ材の全体にわたって均一に伝熱するようにしている。
ちなみに、従来の床暖房パネルでは、加熱用長尺体の熱を床仕上げ材の全体にわたってより均一に伝熱するために、熱媒体流通管が装備されたもの上面に表面材を設けて、板状基材自体に表面材を設けるとともに、その板状基材と床仕上げ材との間にも表面材を設けて、表面材を２枚設けるものもある。
【０００３】
従来の床暖房パネルでは、床仕上げ材の裏面と表面材の上面とを接着させるとともに、表面材の裏面と板状基材の上面とを接着させることにより、床暖房パネルを製造するようにしている。
すなわち、図４に示すように、床仕上げ材４の裏面と表面材３の上面との間に接着材７を介在させることにより、床仕上げ材４の裏面と表面材３の上面とを接着させて、床仕上げ材４と表面材３との一体物を形成する。
そして、表面材３の裏面に、固定用の両面テープ８を間隔を隔てて貼着させることにより、その両面テープ８にて表面材３の裏面と板状基材Ｔの上面とを接着させて、床仕上げ材４と表面材３との一体物を板状基材Ｔの上面に固定させて、床暖房パネルを製造するようにしている。
ちなみに、図４では、板状基材Ｔが、熱媒体流通管１が配設された板状基材部分２とその板状基材部分２の上面に接着された表面材３とから構成され、板状基材Ｔ自体に表面材３が設けられている床暖房パネルを示している。
【０００４】
【発明が解決しようとする課題】
しかしながら、上記従来の床暖房パネルでは、床暖房パネルを製造するに当たって、床仕上げ材の裏面と表面材の上面との間に接着材を介在させる作業を行ったのち、床仕上げ材の裏面に接着された表面材の裏面に固定用の両面テープを貼着する作業を行わなければならないので、作業点数が多く、床暖房パネルの製造作業が煩雑になる虞がある。
【０００５】
本発明は、かかる点に着目してなされたものであり、その目的は、製造作業を容易なものとすることが可能となる床暖房パネルを提供する点にある。
【０００６】
【課題を解決するための手段】
この目的を達成するために、請求項１に記載の発明によれば、加熱用長尺体が装備された板状基材の上面に均熱用の表面材が設けられ、その表面材の上面に床仕上げ材が設けられている床暖房パネルにおいて、
前記表面材が、前記床仕上げ材の裏面と接着可能でかつ前記板状基材の上面と接着可能な均熱用両面テープ体にて構成されている。
【０００７】
すなわち、均熱用両面テープ体を床仕上げ材の裏面または板状基材の上面に貼着することにより、均熱用両面テープ体を床仕上げ材の裏面と板状基材の上面との間に介在させて、その均熱用両面テープ体にて、床仕上げ材の裏面と表面材の上面とを接着させるととともに、表面材の裏面と板状基材の上面とを接着させることができることになる。
ちなみに、板状基材の上面に表面材を接着させて、板状基材自体に表面材を設けているものでは、均熱用両面テープ体を床仕上げ材の裏面または板状基材に接着された表面材の上面に貼着することにより、均熱用両面テープを床仕上げ材の裏面と板状基材に接着された表面材の上面との間に介在させて、その均熱用両面テープ体にて、床仕上げ材の裏面と表面材の上面とを接着させるととともに、表面材の裏面と板状基材に接着された表面材の上面とを接着させることができることになる。
【０００８】
したがって、均熱用両面テープ体を貼着させるだけの容易な作業を行うことによって、床仕上げ材の裏面と表面材の上面とを接着させ、かつ、表面材の裏面と板状基材の上面とを接着させて、床暖房パネルを製造することができることになる。
【０００９】
しかも、床仕上げ材の裏面と表面材の上面とを接着させる接着剤と、板状基材の上面と表面材の裏面とを接着させる固定用の両面テープとの２つの接着用部材を設けなくても、均熱用両面テープ体のみにて、床仕上げ材の裏面と表面材の上面とを接着させ、かつ、板状基材の上面と表面材の裏面とを接着させることができることになるので、コストの低減を図ることができることになる。
【００１０】
以上のことから、コストの低減を図りながら、製造作業を容易なものとすることが可能となる床暖房パネルを提供できるに至った。
【００１１】
請求項２に記載の発明によれば、前記均熱用両面テープ体が、前記床仕上げ材の裏面の全体にわたって接着されている。
すなわち、均熱用両面テープ体が、床仕上げ材の裏面の全体にわたって接着されているので、暖房対象の床面の大きさや形状に応じて、床仕上げ材をカットしたときに、そのカットされた床仕上げ材の裏面の全体にわたって均熱用両面テープが接着されることになる。
したがって、表面材の裏面と板状基材の上面とを接着させるときには、補強するための固定用の両面テープなどを貼着しなくても、均熱用両面テープ体にて板状基材の上面と的確に接着させて、板状基材の上面に表面材および床仕上げ材を的確に固定することができることになる。
【００１２】
説明を加えると、図４に示すように、床仕上げ材の裏面に、間隔を隔てる状態で固定用の両面テープ８が接着されているものでは、補強用の両面テープ９を貼着しなければ、板状基材Ｔの上面に表面材３および床仕上げ材４を的確に固定することができない虞がある。
すなわち、図４中の点線に沿って床仕上げ材４と表面材３とをカットしたときには、カットされた表面材３の裏面の端部には、固定用の両面テープ８が存在しないので、板状基材Ｔの上面に表面材３および床仕上げ材４を的確に固定するために、図４中Ａで示す位置に補強用の両面テープ９を貼着する必要が生じることになる。
【００１３】
以上のことをまとめると、暖房対象の床面の大きさや形状に応じて、床仕上げ材をカットしたときに、カットされた床仕上げ材を、単純に、均熱用両面テープにて板状基材の上面に固定させることができることなって、床暖房パネルの施工作業を容易にすることができることになる。
【００１４】
【発明の実施の形態】
本発明にかかる床暖房パネルを図面に基づいて説明する。
この床暖房パネルＰは、図１〜図３に示すように、加熱用長尺体としての熱媒体流通管１と、その熱媒体流通管１を配設させるための溝部２ａが形成された板状基材部分２と、熱媒体流通管１の熱を均一に伝熱させるための表面材３と、木質製のフローリングなどの床仕上げ材４などから構成されている。
そして、板状基材部分２の溝部２ａに熱媒体流通管１を配設させた状態で、板状基材２の上面側に２枚の表面材３が設けられ、その表面材３の上面側に床仕上げ材４が設けられている。
ちなみに、図１は、一部を切り欠いた床暖房パネルＰの平面図であり、図２は、床暖房パネルＰを各部材に分解した分解斜視図であり、図３は、床暖房パネルＰの縦断面図である。
【００１５】
前記板状基材部分２の溝部２ａは、熱媒体流通管１を蛇行状に配設するように形成され、その蛇行状に配設される熱媒体流通管１に熱媒体供給部５を介して図外の熱源機から温水を通流させることにより、暖房対象の床が暖房されるようにして、温水式の床暖房パネルＰに構成されている。
【００１６】
前記熱媒体流通管１は、一般的に架橋ポリエチレン管やポリブテン樹脂管などが使用され、接続部のない２本の熱媒体流通管１から構成されている。つまり、配管の信頼性を高めるために、接続部のない管により熱媒体流通管１を構成し、２本の熱媒体流通管１を板状基材２に２本ずつ配管するように構成されている。なお、２本の熱媒体流通管１の両端は、熱媒体供給部５に接続され、図外の熱源機から温水などの熱媒体が熱媒体供給部５の往き側を介して熱媒体流通管１のそれぞれに供給され、その熱媒体流通管１に供給された温水が、熱媒体流通管１を通流して熱媒体供給部５の戻り側に供給されて排出するように構成されている。
【００１７】
前記板状基材部分２の材質は、発泡樹脂製のもの、合板、パーチクルボードなどの木質製のものや、樹脂製のものなどが適応可能であり、発泡樹脂製のものでは、例えば、硬質のポリスチレン発泡体やポリエチレン発泡体など各種の発泡体が適応可能であり、発泡体の上面に合成樹脂製の樹脂シート成型体を積層する構成としてもよい。
【００１８】
前記表面材３は、アルミ箔や熱伝導率がよい可撓性の金属などが用いられ、溝部２ａに熱媒体流通管１が配設された板状基材部分２の上面に接着剤などにより接着させて、板状基材Ｔ自体に設けるとともに、その板状基材Ｔと床仕上げ材４との間にも設けて、合計２枚設けるようにしている。
すなわち、板状基材Ｔは、板状基材部分２とその上面に接着された表面材３とから構成され、その板状基材Ｔと床仕上げ材４との間にも、表面材３が設けられている。
【００１９】
そして、板状基材Ｔと床仕上げ材４との間に設ける表面材３は、床仕上げ材４の裏面と接着可能でかつ板状基材２の上面と接着可能な均熱用両面テープ体６にて構成され、その均熱用両面テープ体６が、床仕上げ材４の裏面の全体にわたって接着されている。
説明を加えると、板状基材２と床仕上げ材４との間に設ける表面材３は、均熱用両面テープ体６であり、その均熱用両面テープ体６は、基材６ａ、上面側の粘着材部分６ｂ、および、裏面側の粘着材部分６ｃから構成されている。
【００２０】
そして、均熱用両面テープ体６の基材６ａは、アルミ箔や熱伝導率がよい可撓性の金属などが用いられ、その厚みが、数１０μｍ〜１００μｍ程度に構成されている。
また、均熱用両面テープ体６の上面側の粘着材部分６ｂおよび裏面側の粘着材部分６ｃには、耐熱性を有するものが用いられ、上面側の粘着材部分６ｂを床仕上げ材４の裏面に接着させ、裏面側の粘着材部分６ｃを板状基材２に接着された表面材３の上面に接着させるように構成されている。
【００２１】
上述のように構成された床暖房パネルＰの製造構成について説明を加える。
まず、床仕上げ材４の裏面の全体にわたって、均熱用両面テープ体６の上面側の粘着材部分６ｂを貼着して、床仕上げ材４の裏面と均熱用両面テープ体６の上面とを接着させて、床仕上げ材４と均熱用両面テープ体６との一体物を形成する。
そして、溝部２ａに熱媒体流通管１が配設された板状基材部分２の上面に表面材３を接着材などにより予め接着させて、板状基材Ｔ自体に表面材３を設け、その板状基材Ｔの上面の全体にわたって、均熱用両面テープ６の裏面側の粘着材部分６ｃを貼着して、板状基材Ｔの上面と均熱用両面テープ体６の裏面とを接着させて、床暖房パネルを製造するようにしている。
【００２２】
このようにして、均熱用両面テープ体６を貼着させるだけの容易な作業を行うことによって、床仕上げ材４の裏面と表面材３の上面とを接着させ、かつ、表面材３の裏面と板状基材Ｔの上面とを接着させて、床暖房パネルを製造することができ、しかも、均熱用両面テープ体６のみにて、床仕上げ材４の裏面と表面材３の上面とを接着させ、かつ、板状基材Ｔの上面と表面材３の裏面とを接着させることができることとなって、コストの低減を図りながら、製造作業を容易なものとしている。
【００２３】
上述のように構成された床暖房パネルＰの施工について説明を加えると、暖房対象の床面の形状や大きさに応じて、板状基材Ｔを所望の大きさに形成し、その板状基材Ｔを暖房対象の床面に敷き込んで接着材などにより固定する。
そして、均熱用両面テープ体６にて一体形成された床仕上げ材４と表面材３との一体物を、板状基材Ｔの大きさに合わせてカットして、均熱用両面テープ体６にてその裏面と板状基材Ｔの上面とを接着させて、板状基材Ｔの上面に床仕上げ材４と表面材３である均熱用両面テープ体６との一体物を固定する。
カットされた床仕上げ材４と均熱用両面テープ体６との一体物は、その裏面の全体にわたって均熱用両面テープ体６が接着されているので、単純に、均熱用両面テープ体６にてその裏面と板状基材Ｔの上面とを接着させて、板状基材Ｔの上面に床仕上げ材４と均熱用両面テープ体６との一体物を固定することができ、施工作業を容易なものとしている。
【００２４】
〔別実施形態〕
（１）上記実施形態では、均熱用両面テープ体６を床仕上げ材４の裏面の全体にわたって接着するようにしているが、例えば、均熱用両面テープ体６を、床仕上げ材４の横幅方向に間隔を隔てる状態で、床仕上げ材４の裏面に接着するようにして実施することも可能であり、均熱用両面テープ体６の接着箇所については適宜変更が可能である。
【００２５】
（２）上記実施形態では、床仕上げ材４の裏面に、均熱用両面テープ体６の上面側の粘着材部分６ｂを貼着して、床仕上げ材４の裏面と均熱用両面テープ体６の上面とを接着させて、床仕上げ材４と表面材３である均熱用両面テープ体６との一体物を形成したのち、板状基材Ｔの上面に、均熱用両面テープ体６の裏面側の粘着材部分６ｃを貼着して、板状基材Ｔの上面と均熱用両面テープ体６の裏面とを接着させて、床暖房パネルを製造するようにしているが、板状基材Ｔの上面に、均熱用両面テープ６の裏面側の粘着材部分６ｃを貼着して、板状基材Ｔの上面と均熱用両面テープ６の裏面とを接着させて、板状基材Ｔと表面材３である均熱用両面テープ体６との一体物を形成したのち、床仕上げ材４の裏面に、均熱用両面テープ体６の上面側の粘着材部分６ｂを貼着して、床仕上げ材４の裏面と均熱用両面テープ体６の上面とを接着させて、床暖房パネルを製造することも可能である。
【００２６】
（３）上記実施形態では、溝部２ａに熱媒体流通管１が配設された板状基材部分２の上面に接着剤などにより接着させて、板状基材Ｔ自体に表面材３を設けるとともに、その板状基材Ｔと床仕上げ材４との間にも表面材３を設けて、合計２枚の表面材３を設ける構成を例示したが、板状基材には表面材を設けずに、表面材３を１枚設けて実施することも可能である。
【００２７】
（４）上記実施形態では、板状基材部分２の上面に表面材３を設けるとともに、その板状基材部分２と表面材３とからなる板状基材Ｔと床仕上げ材４との間にも表面材３を設けて、板状基材部分２と床仕上げ材４との間に２枚の表面材３を設け、板状基材Ｔと床仕上げ材４の間に設ける表面材３のみ均熱用両面テープ体６にて構成する例を示したが、板状基材部分２の上面に設ける表面材３および板状基材Ｔと床仕上げ材４の間に設ける表面材３の両方を均熱用両面テープ体６にて構成したり、板状基材部分２の上面に設ける表面材３のみ均熱用両面テープ体６にて構成して実施することが可能である。
つまり、板状基材部分２と床仕上げ材４との間に２枚の表面材３を設ける場合には、２枚の表面材３のうち、両方とも均熱用両面テープ体６にて構成したり、あるいは、いずれか一方のみ均熱用両面テープ体６に構成して実施することが可能であり、均熱用両面テープ体とする対象の表面材は適宜変更が可能である。
なお、板状基材部分２の上面に設ける表面材３のみ均熱用両面テープ体６にて構成する場合には、板状基材部分２のみから板状基材Ｔを構成することになる。
【００２８】
さらに、説明を加えると、板状基材部分２の上面に設ける表面材３を均熱用両面テープ体６にて構成する場合には、板状基材部分２と床仕上げ材４との間に表面材３を設けなくてもよい。換言すれば、床仕上げ材４の裏面には均熱用両面テープ体６を設けなくてもよい。
すなわち、熱媒体流通管１の熱を床仕上げ材４の全体にわたってより均一に伝熱するなどの理由から、板状基材部分２の上面にも、板状基材部分２と床仕上げ材４との間にも表面材３を設けるのが好ましいが、板状基材部分２の上面に設ける表面材３を均熱用両面テープ体６にて構成する場合には、板状基材部分２の上面に設ける表面材３にて熱媒体流通管１を固定できるなどの理由から、板状基材部分２と床仕上げ材４との間に表面材３を設けなくてもよい。
この場合の施工形態としては、板状基材部分２の上面に表面材３である均熱用両面テープ体６を貼着し、その均熱用両面テープ体６の上面側の粘着材部分６ｂに離型紙を付けたままとする。そして、施工現場で上面側の粘着材部分６ｂの離型紙を外して、その粘着材部分６ｂに床仕上げ材４を貼着する。
【００２９】
（５）上記実施形態では、本発明にかかる床暖房パネルを、加熱用長尺体としての熱媒体流通管が設けられた温水式の床暖房パネルに適応した例を示したが、加熱用長尺体としての電気ヒータが設けられた電気式の床暖房パネルに適応することも可能である。
また、本発明にかかる床暖房パネルは、板状基材に小根太を装備する小根太タイプの床暖房パネルでも適応可能である。
【図面の簡単な説明】
【図１】床暖房パネルの一部切欠平面図
【図２】床暖房パネルの斜視図
【図３】床暖房パネルの縦断面図
【図４】従来技術における床暖房パネルの斜視図
【符号の説明】
１　　　　　　　加熱用長尺体
３　　　　　　　表面材
４　　　　　　　床仕上げ材
６　　　　　　　均熱用両面テープ体
Ｔ　　　　　　　板状基材
【図１】
2004085046.tif 000003
【図２】
2004085046.tif 000004
【図３】
2004085046.tif 000005
【図４】
2004085046.tif 000006